(57)【特許請求の範囲】
【請求項１】
壁面に取り付けられる取付基体と、
前記取付基体の前部に設けられ、不審者の侵入を検出するセンサと、
前記取付基体の前部に前記センサの上側に位置して設けられ、機器外殻内に認識用機器を収容してなる認識部と、
前記センサのカバーであって、後面が開放され上部位を前記機器外殻の下部位に前方から重ねるようにして前記取付基体にスナップフィット結合にて取り付けられるカバーと、
前記機器外殻の前記カバーが重ねられる下部位の表面に形成された取付溝と、
前記取付溝内に嵌め込まれ、前記機器外殻と前記カバーとの間をシールするスポンジ状の紐状ガスケットとを具備し、
前記取付溝が形成される前記機器外殻の下部位は、少なくとも、後部に左右一対の側面部、前部に前記左右一対の側面部の間隔よりも幅狭で前方に向かって半円状に突出する凸面部、前記左右一対の側面部と前記凸面部との間にあって前記左右一対の側面部の前端から前記凸面部の左右両側の後端に向かって窄まる繋ぎ面部からなるセキュリティ装置において、
前記紐状ガスケットに当該紐状ガスケットの全長にわたって伸長防止用の樹脂テープを取り付け、且つ、前記樹脂テープの表面に前記紐状ガスケットの両端部分に位置して両面接着テープを貼着し、前記両面接着テープを前記取付溝の底面に貼り付けることにより前記紐状ガスケットを前記取付溝内に固定するようにした
ことを特徴とするセキュリティ装置。
【請求項２】
請求項１記載のセキュリティ装置において、
前記紐状ガスケットの両端部分の前記両面接着テープは、前記紐状ガスケットの端から所要長さずらして貼着され、前記紐状ガスケットの端と前記両面接着テープとの間に前記樹脂テープの露出域が存在していること
を特徴とするセキュリティ装置。
【請求項３】
請求項１または２記載のセキュリティ装置において、
前記取付溝は、その底面が任意の２点間において当該２点を結ぶ直線よりも前記取付溝の深さ方向に位置する凹状部分を有し、
前記両面接着テープは、前記紐状ガスケットの両端部分の他に、前記取付溝の凹状部分に配置される部分にも貼着されていること
を特徴とするセキュリティ装置。
【請求項４】
請求項３記載のセキュリティ装置において、
前記取付溝の凹状部分は、前記任意の２点間の途中で折れ曲がるように連続する２つの直線部分からなり、
前記紐状ガスケットのうち前記取付溝の凹状部分に配置される部分の前記両面接着テープは、前記連続する２つの直線部分のうちの一方の直線部分に、少なくとも前記２つの直線部分の境界の屈曲部を含むように貼着されていること
を特徴とするセキュリティ装置。
【発明の詳細な説明】
【技術分野】
【０００１】
本発明は、不審者の侵入を検出するセキュリティ装置に関する。
【背景技術】
【０００２】
この種のセキュリティ装置は、建物に侵入しようとする不審者を検出するセンサの他、検出された人物を認識するための認識用機器を備えている。認識用機器は、機器外殻内に収納されて認識部として構成される。
【０００３】
そして、セキュリティ装置は、建物の壁面に取り付けられる取付基体を備え、この取付基体の前面に、上記したセンサおよび認識部が、通常、センサを下、認識部が上となるようにして取り付けられている。
認識部の機器外殻は、取付基体への取付性を考慮した角形や、内部に収納する認識用機器の形状や機能を考慮した半円筒形などの組み合わせ形状が採用され、凸部や凹部を保有する形状となることが多い。
【０００４】
また、センサの上部は、カバーにより覆われるようになっており、このカバーは取付基体に、メンテナンス時の作業容易性を考慮し、スナップフィット結合によって取り付けられている。このセンサのカバーは、後面が開放されており、上部が認識部の機器外殻の下部の表面に重ねられて機器外殻に連結された形態となっている。この場合、セキュリティ装置が主に屋外で使用されることから、上記カバーと機器外殻との連結部分には、雨水の浸入を抑制するためのガスケットが設けられている。
このガスケットの取付構造は、認識部の機器外殻の表面に取付溝を形成し、この取付溝内にガスケットを嵌め込みながら、ガスケットに取り付けられた両面接着テープを取付溝の底面に貼り付けてゆくことによって当該ガスケットを取付溝内に固定するというものである。
【０００５】
取付溝内に取り付けられたガスケットは、カバーを取付基体に取り付けることにより、当該カバーと認識部の機器外殻との間で圧縮され、その反発力でカバーに接触してシール効果を発揮する。この場合、カバーは上述の通りスナップフィット結合によって取付基体に取り付けられるため、ガスケットの反発力によってスナップフィット結合が解かれることのないように、ガスケットを反発力の弱いスポンジ状のものを使用する。
【０００６】
特許文献１には、自動車用ウエザストリップにおいて、ウエザストリップの自動車ドアに取り付けられる取付基部の一面に、伸び防止用の樹脂テープを貼着し、この樹脂テープの上に自動車ドアに貼り付けるための両面接着テープを全長にわたって取り付けることが開示されている。
【先行技術文献】
【特許文献】
【０００７】
【特許文献１】特開２００５−３０６３５２号公報
【発明の概要】
【発明が解決しようとする課題】
【０００８】
前述のように、認識部の機器外殻は、角形や半円筒形などの組み合わせ形状が採用され、凸部や凹部を保有する形状となることが多い。一例を具体的に述べると、機器外殻は、後部が四角箱形で、前部が後部よりも幅狭の半円状の凸面部となっていて、後部の箱形部分と前部の半円状凸面部との間は、箱形部分の左右両側から半円状凸面部の左右両側に向かって斜めに傾斜する傾斜面部となっている。このため、傾斜面部から半円状凸面部との境界を含めてその前後の部分は、凹面状部分となっている。
また、センサのカバーは、前述のように、後面が開放されていて上部位が認識部の機器外殻の下部位に前方から重ねられるものであるため、それらカバーと機器外殻との間をシールするガスケットはリング状のものではなく、有端の紐状のものとならざるを得ない。
【０００９】
一方、スポンジ状のガスケットは伸び易い。また、両面接着テープも大変薄く、同様に伸び易い。このため、取付溝の全長と同じ長さに切断されているガスケットを取付溝内に嵌め込んでゆく過程でガスケットが伸びる。特に、凹面状部分に形成された取付溝（凹状部分）に嵌め込んでゆくときには、細かな作業を強いられるため、ガスケットに引っ張り力がかかり易く、伸びることは避けられない。このため、取付溝内に取り付け終えたとき、ガスケットが余って取付溝からはみ出るという不具合を生じ易い。
また、両面接着テープがガスケットの全長にわたって取り付けられているため、取付溝内に嵌め入れる際、気を付けないと、両面接着テープが取付溝の周辺部分に貼り着いてしまい、その度に両面接着テープを剥がして取付溝内に入れ直さねばならず、面倒な作業となり勝ちである。
【００１０】
このように凸面状部分、凹面上部分が存在する面に形成された取付面に、細い紐状のガスケットを嵌め込んでゆく場合に生ずる問題点に対し、特許文献１では、凸状部分は存在するが凹面状部分が存在しない自動車ドアの周囲部をガスケット取り付けの具体的対象部分とし、しかも、ガスケットは、細い紐状のものではなく、相当幅広の取り扱い易い形態のものであるから、上述したセキュリティ装置のガスケットについての問題を解消しようとする場合の手掛かりとは到底なり得ない。
【００１１】
本発明は上記の事情に鑑みてなされたもので、その目的は、ガスケットが伸び難く、また、ガスケットの取付作業性に優れたセキュリティ装置を提供することにある。
【課題を解決するための手段】
【００１２】
請求項１の発明では、紐状ガスケットにその全長にわたって樹脂テープが取り付けられているので、取付溝に凹状部分が存在していても、紐状ガスケットを取付溝内に嵌め込んでゆく過程で当該紐状ガスケットが伸びることを防止できる。また、両面接着テープは紐状ガスケットの両端部分に設けられているので、全長にわたって設けられている場合に比べ、両面接着テープが取付溝の周辺部分に不用意に粘着することが少なく、作業し易い。
【００１３】
即ち、最初に、紐状ガスケットの一端を取付溝内に入れる。すると、その一端を取付溝に固定できると共に、紐状ガスケットが取付溝でガイドされる状態になることから、後は樹脂テープが設けられたことでやや硬さを持った紐状ガスケットを指でなぞるだけで取付溝内に入れることができるようになり、作業の最初と途中で伸び難い。最後も、端部にしか両面接着テープが付いていないことから、途中の指でなぞるだけの行為の延長として他端を押し込めばそのまま紐状ガスケットを取付溝内に入れた状態で固定できるようになるので、最後も伸び難い。よって、細い取付溝に入れ難いスポンジ状の紐状ガスケットでも、延びることなく簡単に入れることができるようになり、作業が非常にし易い。
【００１４】
請求項２の発明では、両面接着テープが前記紐状ガスケットの端から所要長さずらして設けられているので、最初に紐状ガスケットの一端を取付溝の一端に合せる際、紐状ガスケットの端を取付溝の底面に当ててずれ動かすことができ、位置合わせ作業がし易い。
【００１５】
請求項３の発明では、取付溝の底面が任意の２点間において当該２点を結ぶ直線よりも取付溝の深さ方向に位置する凹状部分を有する場合、両面接着テープが紐状ガスケットの両端部分の他に、取付溝の凹状部分に配置される部分にも貼着されているので、紐状ガスケットが取付溝の凹状部分の底面から浮き上がることを防止できる。
【００１６】
請求項４の発明では、取付溝の凹状部分が任意の２点間の途中で折れ曲がるように連続する２つの直線部分からなる場合、紐状ガスケットのうち取付溝の凹状部分に配置される部分の両面接着テープは、連続する２つの直線部分のうちの一方の直線部分に、少なくとも２つの直線部分の境界の屈曲部を含むように貼着されているので、最小限の両面接着テープでガスケットが取付溝の凹状部分の底面から浮き上がることを防止できる。
【図面の簡単な説明】
【００１７】
【図１】本発明の第１の実施形態を示すもので、取付溝にガスケットを取り付けた状態の横断面図
【図２】ガスケットの取り付け手順を示す斜視図
【図３】ガスケットの一端を取付溝の一端に合せる状態を示す断面図
【図４】ガスケットを示し、（ａ）は側面図、（ｂ）は断面図
【図５】取付溝の横断面図
【図６】上カバーの斜視図
【図７】スナップフィット結合構造を示す断面図
【図８】図９のアーア線に沿う断面図
【図９】セキュリティ装置の正面図
【図１０】セキュリティ装置の側面図
【図１１】本発明の第２の実施形態を示す部分的な断面図
【図１２】本発明の第３の実施形態を示す部分的な断面図
【図１３】本発明の第４の実施形態を示す部分的な断面図
【図１４】本発明の第５の実施形態を示す部分的な断面図
【図１５】本発明の第６の実施形態を示す部分的な断面図
【図１６】本発明の第７の実施形態を示す部分的な断面図
【図１７】本発明の第８の実施形態を示す部分的な断面図
【発明を実施するための形態】
【００１８】
以下、本発明を実施形態により具体的に説明する。
（第１の実施形態）
図１〜図１０は本発明の第１の実施形態を示す。図９および図１０に示すように、セキュリティ装置１は、建物の外壁面２に取り付けられた取付基体３の前部（前面）に、センサ４と認識部５とを設けてなる。なお、セキュリティ装置１において、前後（表裏）は外壁面２に取り付けられたとき外壁面２側となる側を後（裏）とし、その反対側を前（表）とする。また、左右は、セキュリティ装置１を前側から見たとき、左手側を左、右手側を右とする。
【００１９】
センサ４は、センサケース６内に例えばレーザー光出射部および反射光検出部からなるレーザーレーダ（図示せず）などを設けてなり、前方の検出エリアに向けてレーザー光を水平に出射し、その反射光を検出することによって検出エリア内への侵入者を検出する。
認識部５は、センサ４の上側に配置され、収納ケース７を備えている。収納ケース７内には、認識用機器としてのタグリーダ（通信装置）およびカメラが収納されている。タグリーダは、センサ４によって侵入者が検出されると、個体識別端末としてのＲＦＩＤタグと通信する電波を出力し、予め登録されたＩＤ情報をもったＲＦＩＤタグからの応答電波を受信したときには、侵入者は不審者ではないと判断する。また、カメラは、検出エリア内を撮影し、その撮影画像は建物内に設置されたモニターに表示され、且つ記録装置に記録される。
【００２０】
さて、認識部５からセンサ４にかけて、上側のカバー９と下側のカバー１０が配設されている。上側のカバー（以下、上カバー）９は認識部５のもので、図示しない取付ねじによって取付基体３に固定されている。そして、収納ケース７と上カバー９とで認識部５の機器外殻が構成されている。
【００２１】
下側のカバー（以下、下カバー）１０はセンサ４のもので、スナップフィット結合によって取付基体３に取り付けられている。スナップフィット結合とは、図７に示すように、取付基体３および下カバー１０のうちの一方（例えば下カバー１０）に突出形成された複数の弾性係合爪片１１を他方（例えば取付基体３）に形成された係合孔１２に弾性係合させて結合するという周知構成のものである。なお、本実施形態において、取付基体３、上カバー９および下カバー１０はいずれも樹脂製のものである。
【００２２】
認識部５のカバーである上カバー９は、図６にも示すように、上側の笠部１３と、この笠部１３から下方に延ばされた互いに平行な左右一対の側板部１４，１５とを備えている。
笠部１３は後面の全体が開放されている。また、笠部１３の下面は、収納ケース７の外側に嵌めるために部分的に開放されている（図２参照）。左右一対の側板部１４，１５は、笠部１３の下面の開放部分の左右両側から下方に延ばされて収納ケース７の後半部分を左右から挟み付ける形態となっている。そして、この一対の側板部１４，１５の下端部の前側には、当該一対の側板部１４，１５間を連結する橋架部１６が設けられている。
【００２３】
取付基体３および収納ケース７の左右両側には、図示はしないがガスケットが取り付けられている。そして、取付基体３の前面に取付ねじによって締め付け固定された上カバー９は、笠部１３の後端周縁部および一対の側板部１４，１５の後端部が取付基体３に設けられたガスケットに押圧されると共に、図１に示すように、一対の側板部１４，１５の前端部に後向きに折り返すように形成されたリブ１４ａ，１５ａが収納ケース７の左右両側に設けられたガスケットに押圧され、これにより、上カバー９と取付基体３および収納ケースとの間がシールされ、上カバー９の内側への水の侵入が防止される。
【００２４】
一方、下カバー１０は、後面、上面および下面がいずれも開放されている。そして、この下カバー１０は、上部位、例えば上端部が上カバー９の下部位、例えば下端部の橋架部１６に前方から重ねられている。
上カバー９の一対の側板部１４，１５は、図６にも示すように、互いに平行な平板部１４ｂ，１５ｂの前端部分に内側に向かって傾斜する（窄む）斜面部１４ｃ，１５ｃを形成してなり、この斜面部１４ｃ，１５ｃの前端間に前述の橋架部１６が形成されている。橋架部１６は、収納ケース７の外周面に倣った形状、本実施形態では半円形に形成されている。これら一対の平板部１４ｂ，１５ｂ、斜面部１４ｃ，１５ｃおよび橋架部１６の表面には、一方の平板部１４ｂの後端から斜面部１４ｃ、橋架部１６、斜面部１５ｃを順に経て他方の平板部１５ｂの後端まで周方向に連続する１本の取付溝１９が形成されている。
【００２５】
ここで、左右一対の平板部１４ｂ，１５ｂが請求項１にいう後部の左右一対の側面部に相当し、橋架部１６が前部の凸面部、斜面部１４ｃ，１５ｃが繋ぎ面部にそれぞれ相当する。
取付溝１９は、図５に示すように、その底面において、側板部１４，１５の平板部１４ｂ，１５ｂと斜面部１４ｃ，１５ｃとの境界および斜面部１４ｃ，１５ｃと橋架部１６との境界で屈曲している。そして、この平板部１４ｂ，１５ｂと斜面部１４ｃ，１５ｃとの境界の屈曲部をＣ１，Ｃ４とし、斜面部１４ｃ，１５ｃと橋架部１６との境界の屈曲部をＣ２，Ｃ３としたとき、取付溝１９の一端Ｓ１と屈曲部Ｃ１との間は直線、屈曲部Ｃ１と屈曲部Ｃ２との間も直線、屈曲部Ｃ２と屈曲部Ｃ３との間は円弧凸面、屈曲部Ｃ３と屈曲部Ｃ４との間は直線、屈曲部Ｃ４と取付溝１９の他端Ｓ２との間は直線となっている。
【００２６】
ここで、取付溝１９の底面のうち、当該底面上の任意の２点を考える。まず、任意の１点は例えば屈曲部Ｃ１とする。また、屈曲部Ｃ１を通って屈曲部Ｃ２と屈曲部Ｃ３との間の円弧凸面に接する直線Ｌ１を引いたとき、その直線Ｌ１と円弧凸面との接点Ｐ１を他の任意の１点とする。これら屈曲部Ｃ１と接点Ｐ１の２点間において、取付溝１９の底面部分は、屈曲部Ｃ１と接点Ｐ１とを結ぶ直線Ｌ１よりも取付溝１９の深さ方向に存在する凹状部分Ｄ１となっている。
【００２７】
同様に、取付溝１９の底面上の別の任意の２点を考える。このうち任意の１点は、例えば屈曲部Ｃ４とする。また、屈曲部Ｃ４を通って屈曲部Ｃ２と屈曲部Ｃ３との間の円弧凸面に接する直線Ｌ２を引いたとき、その直線Ｌ２と円弧凸面との接点Ｐ２を他の任意の１点とする。これら屈曲部Ｃ４と接点Ｐ２の２点間において、取付溝１９の底面部分は、屈曲部Ｃ４と接点Ｐ２とを結ぶ直線Ｌ２よりも取付溝１９の深さ方向に存在する凹状部分Ｄ２となっている。
【００２８】
上カバー９をその内側から見たとき、側板部１４，１５、斜面部１４ｃ，１５ｃおよび橋架部１６の取付溝１９が形成された部分は、図８に示すように、内側（収納ケース７側）に突出する凸条部２０となっている。そして、この凸条部２０は収納ケース７の外周面に形成された凹条部２１内に嵌め込まれている。この凹条部２１内には、側板部１４，１５および橋架部１６と収納ケース７との間をシールするガスケット２２が取り付けられている。
【００２９】
これに対し、下カバー１０の上端部は、上カバー９の下端部に倣った形状に形成され、その上端部には裏側に突出する上リブ１０ａと下リブ１０ｂとが形成されている。上リブ１０ａは、収納ケース７の外周面に凹状部２０の上に位置して形成された細溝２３内に嵌め込まれ、下リブ１０ｂは前記取付溝１９内に嵌め込まれている。なお、下リブ１０ｂは下カバー１０の内面全周にわたって形成されているが、上リブ１０ａは上カバー９の一対の斜面部１４ｃ，１５ｃ間に位置する部分にだけ形成されている。
【００３０】
取付溝１９内には紐状ガスケット２４が取り付けられている。この紐状ガスケット２４は、下カバー１０の下リブ１０ｂが取付溝１９内に嵌め込まれることにより押し縮められ、その反発力により取付溝１９の内面と下リブ１０ｂとに接してシール効果を発揮する。従って、紐状ガスケット２４により上カバー９と下カバー１０との間がシールされ、収納ケース７や上カバー９を伝い降りてくる雨水が下カバー１０の内側に侵入することが防止される。
【００３１】
ここで紐状ガスケット２４の材質、太さおよび長さについて述べる。まず、紐状ガスケット２４は、取付溝１９の底面と下カバー１０の下リブ１０ｂとの間で押圧されたとき、下カバー１０のスナップフィット結合が解かれてしまうほど大きな反発力を生じないような柔軟なスポンジ状材料、例えばスポンジゴムにより形成してある。また、紐状ガスケット２４は、取付溝１９よりもやや小さい１辺が約３ｍｍの正方形断面を持ち、取付溝１９の全長と等しい長さに切断されている。
【００３２】
図４に示すように、紐状ガスケット２４の４つの表面のうち一表面には、その全長にわたって樹脂テープ２５が接着によって取り付けられている。樹脂テープ２５は、伸び難い材料、例えばポリプロピレン、ポリエチレンなどのオレフィン系合成樹脂、或いはナイロン系樹脂などで形成されている。樹脂テープ２５の厚さは、１００μｍ以上、１ｍｍ以下が好ましい。１００μｍ未満では、伸びに対する抗力を得ることができない。１ｍｍを超えると、柔軟性が損なわれ、また重量も増加する。
樹脂テープ２５の表面には、紐状ガスケット２４を取付溝１９の底面に接着するための両面接着テープ２６が貼り付けられている。この両面接着テープ２６は、紐状ガスケット２４の全長にわたってではなく、紐状ガスケット２４の両端部分、上述の取付溝１９の底面の凹状部分Ｄ１，Ｄ２に配置される部分のうち、例えば直線部分（屈曲部Ｃ１，Ｃ２間と屈曲部Ｃ３，Ｃ４間）に配置される個所の合計４箇所に貼り付けられている。
【００３３】
ここで、４個所に貼られた両面接着テープ２６を区別する必要がある場合、紐状ガスケット２４の一端側のものから順に第１の両面接着テープ２６ａ、第２の両面接着テープ２６ｂ、第３の両面接着テープ２６ｃ、第４の両面接着テープ２６ｄと称して説明することにする。
【００３４】
第１〜第４の各両面接着テープ２６ａ〜２６ｄの貼り付け位置を詳述する。各両面接着テープ２６ａ〜２６ｄの紐状ガスケット２４に対する位置を説明する場合、以下では、紐状ガスケット２４上の位置で説明する他、紐状ガスケット２４を取付溝１９の底面に貼り付けたときの当該取付溝１９の底面の位置で説明することもある。
【００３５】
まず、紐状ガスケット２４の両端部分に貼り付けられた第１の両面接着テープ２６ａと第４の両面接着テープ２６ｄは、紐状ガスケット２４の端から所要長さだけ離して貼り付けられており、紐状ガスケット２４の一端と第１の両面接着テープ２６ａの端の間および紐状ガスケット２４の他端と第４の両面接着テープ２６ｄの端の間に樹脂テープ２５が露出している部分（以下、樹脂テープ露出域）Ｅ１，Ｅ２が存在している。
【００３６】
第２の両面接着テープ２６ｂおよび第３の両面接着テープ２６ｃは、一端を直線部分と円弧凸面部分との境界である屈曲部Ｃ２，Ｃ３に合せ、ここから直線部分のうち屈曲部Ｃ１，Ｃ４に至る途中部まで貼り付けられている。この場合、直線部分の全体に貼り付けても良い。即ち、第２の両面接着テープ２６ｂを屈曲部Ｃ２と屈曲部Ｃ１との間の直線部分、第３の両面接着テープ２６ｃを屈曲部Ｃ３と屈曲部Ｃ４との間の直線部分に貼る場合、少なくとも屈曲部Ｃ２，Ｃ３を含み、当該屈曲部Ｃ２，Ｃ３から多くとも屈曲部Ｃ１，Ｃ４まで貼り付けるものとする。
【００３７】
なお、凹状部分Ｄ１，Ｄ２に配置される部分に第２の両面接着テープ２６ｂおよび第３の両面接着テープ２６ｃを貼り付ける場合、屈曲部Ｃ２，Ｃ３と接点Ｐ１，Ｐ２との間の円弧凸面部分に貼り付けても良いし、直線部分から屈曲部Ｃ２，Ｃ３を経て円弧凸面部分に至る範囲に貼り付けても良い。円弧凸面部分に貼り付ける場合、少なくとも屈曲部Ｃ２，Ｃ３を含み、当該屈曲部Ｃ２，Ｃ３から多くとも接点Ｐ１，Ｐ２まで貼り付けるものとする。直線部分から円弧凸面部分にわたって貼り付ける場合には、少なくとも屈曲部Ｃ２，Ｃ３を含み、多くとも屈曲部Ｃ１，Ｃ２から接点Ｐ１，Ｐ２に至るまでとする。
【００３８】
以上のような紐状ガスケット２４を取付溝１９に取り付ける手順を説明する。紐状ガスケット２４の取り付けは、上カバー９を取付基体３に取り付ける前に行うもので、上カバー９を、図示しない作業台上に、前面が上向きとなるように載せて行う。両面接着テープ２６の表面には保護テープ（図示せず）が貼られているので、まず、紐状ガスケット２４の両端のうち、例えば一端側（取付溝１９の一端Ｓ１側）の第１の両面接着テープ２６ａの保護テープを剥がし、紐状ガスケット２４の一端を取付溝１９の一端Ｓ１に合せる位置合わせを行う。この場合、図３に示すように、紐状ガスケット２４の一端部を取付溝１９内に入れ、紐状ガスケット２４の一端を取付溝１９の一端Ｓ１に突き当てることで位置合わせするが、その際、樹脂テープ露出域Ｅ１を取付溝１９の底面に当ててずらしてゆけば、容易に一端Ｓ１に突き当てることができる。
【００３９】
仮に、第１の両面接着テープ２６ａが紐状ガスケット２４の端まで貼り付けられていて樹脂テープ露出域Ｅ１が存在していないと、紐状ガスケット２４の一端を取付溝１９の一端Ｓ１に当てる前に両面接着テープ２６が取付溝１９の底面にくっ付いてしまい、位置合わせ作業をやり直さねばならないという事態が起き勝ちであるが、本実施形態ではそのような不具合の発生をなくすことができる。
【００４０】
紐状ガスケット２４の一端を取付溝１９の一端Ｓ１の内面に合わせた後、図２（ａ）に示すように、紐状ガスケット２４を取付溝１９内に嵌め入れつつ第１の両面接着テープ２６ａを取付溝１９の底面に貼り付けて行く。次に、第２の両面接着テープ２６ｂの保護テープを剥がし、図２（ｂ）に示すように、紐状ガスケット２４を取付溝１９内に嵌め入れつつ第２の両面接着テープ２６ｂを取付溝１９の底面に貼り付けて行く。
【００４１】
このとき、紐状ガスケット２４の一端部が既に取付溝１９内に固定されているので、樹脂テープ２５が取り付けられてやや硬さを持った紐状ガスケット２４を指でなぞる程度で紐状ガスケット２４を取付溝１９内に嵌め入れることができる。
【００４２】
第２の両面接着テープ２６ｂを取付溝１９の屈曲部Ｃ２まで貼り付けた後、図２（ｃ）に示すように、紐状ガスケット２４を弛ませないようにやや引っ張り気味にして取付溝１９の円弧凸面部分の内部に嵌め入れて行き、そして、第３の両面接着テープ２６ｃの保護テープを剥がし、紐状ガスケット２４を取付溝１９の屈曲部Ｃ３から屈曲部Ｃ４までの直線部分に嵌め入れながら第３の両面接着テープ２６ｃを取付溝１９の底面に貼り付ける。最後に、第４の両面接着テープ２６ｄの保護テープを剥がし、紐状ガスケット２４を取付溝１９内に嵌め入れながら図２（ｄ）に示すように第４の両面接着テープ２６ｄを取付溝１９の底面に貼り付ける。このときも、紐状ガスケット２４を指でなぞるだけで取付溝１９内に嵌め入れることができ、楽に作業できる。
【００４３】
以上により、紐状ガスケット２４が取付溝１９に取り付けられる。この取付作業において、紐状ガスケット２４を取付溝１９内に嵌め入れる際、紐状ガスケット２４が弛まないように自然とやや引っ張り傾向となり勝ちで、紐状ガスケット２４には伸長させようとする力が作用する。特に、第２の両面接着テープ２６ｂ、第３の両面接着テープ２６ｃを取付溝１９の凹状部分Ｄ１，Ｄ２に嵌め込んでゆく際には、当該凹状部分Ｄ１，Ｄ２が他の部分に比べて窪んでいるので、指で押さえ入れるなど細かい作業を必要とし、紐状ガスケット２４にはどうしても引っ張り力が加わってしまう。
【００４４】
しかしながら、本実施形態では、紐状ガスケット２４には樹脂テープ２５が取り付けられているので、紐状ガスケット２４それ自身はスポンジ状の柔軟なもので伸び易いという事情があったとしても、樹脂テープ２５の伸びに対する抗力によって紐状ガスケット２４の伸長が防止される。このため、取付溝１９の全長に合せて切断された紐状ガスケット２４が取付作業中に伸びて余るといった不具合の発生を未然に防止することができる。
【００４５】
また、両面接着テープ２６は紐状ガスケット２４の全長にわたって貼り付けられているのではなく、両端部分と取付溝１９の凹状部分Ｄ１，Ｄ２に配置される部分に貼り付けられているだけであるから、両面接着テープ２６が取付溝１９以外のところに不用意にくっ付かないようにしながら紐状ガスケット２４を取付溝１９内に取り付けて行くことができる。
【００４６】
つまり、両面接着テープ２６が紐状ガスケット２４の全長にわたって取り付けられている場合には、たとえ両面接着テープ２６の保護テープを剥がす長さを加減しながら紐状ガスケット２４を取付溝１９内に嵌め入れる作業を行ったとしても、保護テープを長く剥がし過ぎた場合（往々にして起きる）、両面接着テープ２６が不用意に取付溝１９の底面以外のところにくっ付いてしまい勝ちとなる。
【００４７】
これに対し、本実施形態では、第１の両面接着テープ２６ａ〜第４の両面接着テープ２６ｄは、比較的短いので、取付作業の進行に応じて、第１の両面接着テープ２６ａ〜第４の両面接着テープ２６ｄの保護テープを順次剥がすようにして行くことで、両面接着テープ２６の粘着面の露出長さが比較的短い状態で作業を行うことができる。このため、両面接着テープ２６を不用意に取付溝１９の底面以外のところにくっ付くことがないようにしながら作業することができ、作業性の向上を図ることができるものである。
【００４８】
また、本実施形態では、取付溝１９の凹状部分Ｄ１，Ｄ２に貼られる両面接着テープ２６を取り付けているので、紐状ガスケット２４が凹状部分Ｄ１，Ｄ２から浮き上がる恐れがない。しかも、第２の両面接着テープ２６ｂと第３の両面接着テープ２６ｃは、紐状ガスケット２４の凹状部分Ｄ１，Ｄ２に添付される部分の全体に取り付けるのではなく、屈曲部Ｃ２，Ｃ３から直線部分に貼られる部分に所要長さ（浮き上がりを防止できる粘着力が得られる程度の長さ）だけ設けられているので、両面接着テープ２６が短くて済む。
【００４９】
更に、本実施形態では、樹脂テープ２５の上に両面接着テープ２６を設けているので、樹脂テープ２５が横面に取り付けられている場合に比べ、紐状ガスケット２４を取付溝１９の底面に沿って曲げ易く、取付溝１９に入れ易い。また、両面接着テープ２６を取付溝１９の底面に貼り付けるために、指で両面接着テープ２６を押さえ付ける際、樹脂テープ２５の縁に触れて指にけがをするといった恐れがない。
【００５０】
（第２の実施形態）
図１１は本発明の第２の実施形態を示す。この実施形態が上記第１の実施形態と異なるところは、紐状ガスケット２４の両端部に貼り付ける両面接着テープ２６（第１の実施形態で第１の両面接着テープ２６ａ、第４の両面接着テープ２６ｄ）の長さを、取付溝１９の底面の屈曲部Ｃ２，Ｃ３に至るまで長くし、第１の実施形態の第２の両面接着テープ２６ｂ、第３の両面接着テープ２６ｃを省略したところにある。なお、取付溝１９の他端部分については図示を省略した。
【００５１】
（第３の実施形態）
以後の実施形態は第１の実施形態における取付溝１９とは形状が異なるものとする。但し、取付溝、紐状ガスケットなどは第１の実施形態と同じ符号を用いて説明する。
図１２は本発明の第３の実施形態を示す。この第３の実施形態は、取付溝１９の底面の屈曲部Ｃ５，Ｃ６間（任意の２点間）の部分が円弧凹面状の凹状部分Ｄ３である場合において、紐状ガスケット２４の凹状部分Ｄ３に添付される部分の全体に両面接着テープ２６を貼り付けたものである。このように、凹状部分が円弧凹面状のときは、紐状ガスケット２４の浮き上がり防止のためには両面接着テープ２６を凹状部分に配置される部分の全体に貼り付ける。
【００５２】
（第４の実施形態）
図１３は本発明の第４の実施形態を示す。この実施形態は、取付溝１９の底面の屈曲部Ｃ７，Ｃ８を通る直線Ｌ３，Ｌ４の円弧凸面に対する接点Ｐ３，Ｐ４を想定した場合、接点Ｐ３と屈曲部Ｃ８との間（任意の２点間）および接点Ｐ４と屈曲部Ｃ７との間（任意の２点間）が凹状部分Ｄ４，Ｄ５となる。
【００５３】
この凹状部分Ｄ４，Ｄ５に対し、紐状ガスケット２４には、円弧凸面に配置される部分に屈曲部Ｃ７，Ｃ８から所要長さの両面接着テープ２６を貼り付けたものである。
（第５の実施形態）
図１４は本発明の第５の実施形態を示す。この実施形態は、取付溝１９が上記第４の実施形態と同様の凹状部分Ｄ４，Ｄ５を有する場合、紐状ガスケット２４には、屈曲部Ｃ７，Ｃ８間に配置される直線部分の全体に両面接着テープ２６を貼り付けたものである。なお、この場合、直線部分には、屈曲部Ｃ７，Ｃ８からそれぞれ所要長さの２本の両面接着テープ２６を貼り付けるようにしても良い。
【００５４】
（第６の実施形態）
図１５は本発明の第６の実施形態を示す。この実施形態は、取付溝１９の底面の２つの屈曲部Ｃ９，Ｃ１１間の凹状部分、屈曲部Ｃ１１，Ｃ１３間の凹状部分Ｄ６，Ｄ７が、それぞれ途中で折れ曲がるように連続する２つの直線部分からなる場合、紐状ガスケット２４の凹状部分Ｄ６に配置される部分において、２つの直線部分の境界の屈曲部Ｃ１０から一方の直線部分（屈曲部Ｃ１０の左側の直線部分）に所要長さの両面接着テープ２６を貼り付けると共に、紐状ガスケット２４の凹状部分Ｄ７に配置される部分において、２つの直線部分の境界の屈曲部Ｃ１２から一方の直線部分（屈曲部Ｃ１２の右側の直線部分）に所要長さの両面接着テープ２６を貼り付けたものである。
【００５５】
（第７の実施形態）
図１６は本発明の第７の実施形態を示す。この実施形態は、取付溝１９の底面が上記第６の実施形態と同様の凹状部分屈曲部Ｄ６，Ｄ７を有する場合、紐状ガスケット２４の凹状部分Ｄ６に配置される部分において、２つの直線部分の境界の屈曲部Ｃ１０から他方の直線部分（屈曲部Ｃ１０の右側の直線部分）に所要長さの両面接着テープ２６を貼り付けると共に、紐状ガスケット２４の凹状部分Ｄ７に配置される部分においては、第６の実施形態と同様に、２つの直線部分の境界の屈曲部Ｃ１２から一方の直線部分（屈曲部Ｃ１２の右側の直線部分）に所要長さの両面接着テープ２６を貼り付けたものである。
なお、紐状ガスケット２４の凹状部分Ｄ７に配置される部分においては、２つの直線部分の境界の屈曲部Ｃ１２から他方の直線部分（屈曲部Ｃ１２の左側の直線部分）に所要長さの両面接着テープ２６を貼り付けるようにしても良い。
【００５６】
（第８の実施形態）
図１７は本発明の第８の実施形態を示す。この実施形態も、取付溝１９の底面が上記第６の実施形態と同様の凹状部分Ｄ６，Ｄ７を有するもので、紐状ガスケット２４の２つの凹状部分Ｄ６，Ｄ７に配置される部分に、一方の凹状部分Ｄ６の２つの直線部分の境界の屈曲部Ｃ１０から他方の凹状部分Ｄ７の２つの直線部分の境界の屈曲部Ｃ１２までの全体に両面接着テープ２６を貼り付けたものである。
【００５７】
（その他の実施形態）
本発明は上記し且つ図面に示す実施形態に限定されるものではなく、以下のような拡張或いは変更が可能である。
図１５〜図１７に示す形態の取付溝１９において、紐状ガスケット２４の凹状部分Ｄ６，Ｄ７に添付される部分には、屈曲部Ｃ９から屈曲部Ｃ１３までの全体に両面接着テープ２６を貼り付けても良い。
上カバー９の橋架部１６を除去し、代わりに、下カバー１０を収納ケース７に重ね合わせるようにし、収納ケース７の表面に取付溝１９を形成するようにしても良い。
認識部５には、通信装置とカメラのうち、一方だけを設ける構成としても良い。認識用機器としては、通信装置、カメラ以外の機器を採用しても良い。
【００５８】
不審者を検出するセンサは、レーザビームを出射して検出するものに限られず、電波を出射して検出する構成のものであっても良い。
取付溝１９は、一部を認識部５の機器外殻を構成する上カバー９の側板部１４，１５に形成し、残りの部分を、橋架部１６を除去して認識部５の機器外殻を構成する収納ケース７の前部の円弧凸面部分に形成するようにしても良い。場合によっては、取付溝１９は、上カバー９から下方に突出する下側の収納ケース７の下端部分に形成しても良い。
後部の左右一対の側面部、前部の凸面部、繋ぎ面部は、左右一対の側板部１４，１５、橋架部１６、斜面部１４ｃ，１５ｃに限られず、具体的形状としては他に種々考えられる。
【符号の説明】
【００５９】
図面中、３は取付基体、４はセンサ、５は認識部、７は収納ケース（機器外殻）、９は上カバー（機器外殻）、１０は下カバー（センサのカバー）、１４，１５は側板部、１４ｂ，１５ｂは平板部（側面部）、１４ｃ，１５ｃ斜面部（繋ぎ面部）、１６は橋架部（凸面部）、１９は取付溝、２４は紐状ガスケット、２５は樹脂テープ、２６は両面接着テープを示す。
【図１】
0005780183.tif 000002
【図２】
0005780183.tif 000003
【図３】
0005780183.tif 000004
【図４】
0005780183.tif 000005
【図５】
0005780183.tif 000006
【図６】
0005780183.tif 000007
【図７】
0005780183.tif 000008
【図８】
0005780183.tif 000009
【図９】
0005780183.tif 000010
【図１０】
0005780183.tif 000011
【図１１】
0005780183.tif 000012
【図１２】
0005780183.tif 000013
【図１３】
0005780183.tif 000014
【図１４】
0005780183.tif 000015
【図１５】
0005780183.tif 000016
【図１６】
0005780183.tif 000017
【図１７】
0005780183.tif 000018